(57)【特許請求の範囲】
【請求項１】
一連のモジュール形式のデータ放送の受信をなす放送受信手段と、
インターネットへのアクセスをなすインターネットアクセス手段と、
前記データ放送の受信状態を監視する監視手段と、
この監視結果に応じて前記放送受信手段とインターネットアクセス手段との切替え制御をなす制御手段とを含み、
前記制御手段は、前記データ放送の一連のモジュール名の一覧を予め記憶しておく記憶手段と、前記データ放送手段による受信モジュール名と前記一連のモジュール名の一覧とを比較して未受信モジュールを検出する手段と、前記未受信モジュールのみを前記インターネットアクセス手段により取得するよう制御する手段とを有することを特徴とするデータ放送受信システム。
【請求項２】
前記制御手段は、前記未受信モジュールが検出されたときに前記監視手段による監視結果を参照して受信状態が劣化している場合に、前記放送受信手段とインターネットアクセス手段との切替え制御をなすようにしたこと特徴とする請求項１記載のデータ放送受信システム。
【請求項３】
一連のモジュール形式のデータ放送の受信をなす放送受信ステップと、
前記データ放送の受信状態を監視する監視ステップと、
この監視結果に応じて前記放送受信からインターネットアクセスヘ切替え制御をなす制御ステップとを含み、
前記制御ステップは、前記データ放送による受信モジュール名と予め記憶されている一連のモジュール名の一覧とを比較して未受信モジュールを検出するステップと、前記未受信モジュールのみを前記インターネットアクセスにより取得するよう制御するステップとを有することを特徴とするデータ放送受信方法。
【請求項４】
前記制御ステップは、前記未受信モジュールが検出されたときに前記監視ステップによる監視結果を参照して受信状態が劣化している場合に、前記放送受信とインターネットアクセスとの切替え制御をなすようにしたこと特徴とする請求項３記載のデータ放送受信方法。
【発明の詳細な説明】
【０００１】
【発明の属する技術分野】
本発明はデータ放送受信システム及びその方法並びにその制御プログラムを記録した記録媒体に関し、特にモジュール形式のデータ放送の受信をなすためのデータ放送受信方式に関するものである。
【０００２】
【従来の技術】
従来の方法として、電波の受信状況が悪化した場合の対応に関してはＢＳ（Broadcasting Satellite）デジタル放送運用規定「ＡＲＩＢＴＲ−Ｂ１５  １．０版」の第三分冊７−３３に階層変調の運用がある。高変調方式で高圧縮して映像などを送信するだけでなく、電波状態が悪化した場合は、利用効率が低い変調方式を用いて流す。そして、受信機側でも利用効率の低い復調方式を使用して受信を行う。その場合には、映像や音声なども低階層に対応したものを送出することで、受信機側は電波の受信状況が悪化しても、映像や音声などの状態は完璧ではないが、受信機側は受信して表示できるというものであった。
【０００３】
また、従来の信号レベルでデジタル放送やインターネット放送などの受信を確実に行うようなシステムの一例が、特開平１１−２２０６６５号公報に開示されている。図８にその構成を引用して示している。
【０００４】
図８を参照すると、地上波２０１、衛星からの電波２０２、インターネット１１０など、複数の情報源からデータを同時に受信し、それぞれ異なった信号に合わせたチューナ２０３，２０５，２０７と復調器２０４，２０６，２０８、そしてインターネットからの信号には、ＡＴＭ（Asynchronous Transfer Mode）に対応した制御装置２２１，２２０およびセルの分解組み立て装置２１９を通して、全ての信号を取れることにより、どれか一つを受信して受信する失敗がないように対応し、複数の信号処理の中から正常に受信した信号を取り出して基地局からの発信信号として使用するというものである。なお、他のブロックについては、上記公開公報を参照されたい。
【０００５】
【発明が解決しようとする課題】
しかし、この従来技術には、次のような問題点があった。第１の問題点は、悪天候時などに、変調方式を高い利用を行うための高変調方式から低変調方式に変更したり、映像サイズを小さくして放送するなどの対応をし、受信機側で対応して表示したとしても、データ放送に対しては受信して表示できるとは限らないという点である。
【０００６】
その理由は、映像や字幕といったストリーム系放送はレベルを落として受信して表示することができたとしても、データ放送にはモジュールとして組み立て終わってから表示する方法をとるため、１ビットでも受信データにノイズがあればモジュール全体が受信できていないのと同じになるためである。
【０００７】
第２の問題点は、データを確実に受信するために放送受信とインターネットアクセスを放送全体の信号レベルで保証する為に使用するような方法では、一般の家庭に入る受信機ではデータ放送で必要なモジュール全てをインターネットアクセスにて取得する必要が生じ、取得までに長時間かかってしまうという点である。その理由は、テレビ受信機が通常、家庭でインターネットアクセスの際に使用するのは一般の公衆回線であるため、高速なデータのアクセスができないからである。
【０００８】
本発明の目的は、悪天候時等の電波の受信状況が劣化した場合でも、インターネットアクセスによりデータモジュールを取得するようにして、データ放送から全てのモジュールを組み立てできるようにしたデータ放送受信システム及びその方法並びにその制御プログラムを記録した記録媒体を提供することである。
【０００９】
【課題を解決するための手段】
本発明によるデータ放送受信システムは、一連のモジュール形式のデータ放送の受信をなす放送受信手段と、インターネットへのアクセスをなすインターネットアクセス手段と、前記データ放送の受信状態を監視する監視手段と、この監視結果に応じて前記放送受信手段とインターネットアクセス手段との切替え制御をなす制御手段とを含み、前記制御手段は、前記データ放送の一連のモジュール名の一覧を予め記憶しておく記憶手段と、前記データ放送手段による受信モジュール名と前記一連のモジュール名の一覧とを比較して未受信モジュールを検出する手段と、前記未受信モジュールのみを前記インターネットアクセス手段により取得するよう制御する手段とを有することを特徴とする。
【００１１】
更に、前記制御手段は、前記未受信モジュールが検出されたときに前記監視手段による監視結果を参照して受信状態が劣化している場合に、前記放送受信手段とインターネットアクセス手段との切替え制御をなすようにしたこと特徴としている。
【００１２】
本発明によるデータ放送受信方法は、一連のモジュール形式のデータ放送の受信をなす放送受信ステップと、前記データ放送の受信状態を監視する監視ステップと、この監視結果に応じて前記放送受信からインターネットアクセスヘ切替え制御をなす制御ステップとを含み、前記制御ステップは、前記データ放送による受信モジュール名と予め記憶されている一連のモジュール名の一覧とを比較して未受信モジュールを検出するステップと、前記未受信モジュールのみを前記インターネットアクセスにより取得するよう制御するステップとを有することを特徴としている。
【００１４】
更に、前記制御ステップは、前記未受信モジュールが検出されたときに前記監視ステップによる監視結果を参照して受信状態が劣化している場合に、前記放送受信とインターネットアクセスとの切替え制御をなすようにしたこと特徴としている。
【００１７】
本発明の作用を述べる。デジタル放送を受信するテレビシステムにおいて、受信状況を監視し、受信状態が悪化した場合に、データ放送の受信方式を放送受信からインターネットアクセスによるモジュール取得に切り替え、さらにインターネットアクセスを効率よく行うために、データ放送受信では受信できなかったモジュールを検出して、不足しているモジュールのみをインターネットアクセスにより受信し表示を行うように構成したものである。
【００１８】
受信の状況が悪化したと判断した場合、受信方式を変更するようにし、インターネットアクセスによる受信方式に切替える。この際、予め登録されているモジュール一覧を取得して未受信のモジュールを検出し、この未受信モジュールのみを、インターネットアクセスにより取得する。このようにして、放送受信状態が悪く受信できなかったモジュールを、受信方式を放送受信からインターネットアクセスに変更して取得することで、出力表示することが可能となる。
【００１９】
【発明の実施の形態】
以下に図面を参照しつつ本発明の実施例を説明する。図１は本発明のデータ受信方式切り替えシステムの一実施例のブロック図である。１は放送受信手段、２はデータ放送抽出手段、３はモジュール組み立て手段、４はモジュール記憶手段、５は出力手段、６は受信状況監視手段、７は受信方式変更手段、８はモジュール検出手段、９はアクセス先記憶手段、１０はインターネットアクセス手段である。
【００２０】
これらの手段はそれぞれ概略次のように動作する。放送受信手段１は放送を受信する。データ放送抽出手段２は受信した放送からデータ放送部分を抽出する。モジュール組み立て手段３は抽出したデータ放送のデータをモジュールとして組み立てる。モジュール記憶手段４は組み立てられたモジュールを記憶する。出力手段５はモジュール記憶手段内に記憶されている任意のモジュールを表示する。受信状況監視手段６は放送受信状況を監視し、受信状況が悪化した場合は受信方式の変更を判断する。
【００２１】
受信方式変更手段７は受信方式変更の判断を受けた場合に、インターネットアクセスの受信方式に切替える。モジュール検出手段８はモジュール組み立て手段３より組み立てるべきモジュールの一覧を取得し、モジュール記憶手段内に記憶されてないモジュールの検出を行う。アクセス先記憶手段９は放送番組毎のインターネットアクセス先を記憶している。インターネットアクセス手段１０はアクセス先記憶手段９の中から受信するモジュールを保持しているアクセス先を選択し、モジュール検出手段８にて検出された未完成モジュールのインターネットによるモジュール取得を行う。取得されたモジュールはモジュール記憶手段４に記憶させ出力手段５により出力される。
【００２２】
次に、図１及び図２のフローチャートを参照して本実施例の全体の動作について詳細に説明する。まず、放送受信手段１により放送受信を開始する（ステップ１０１）。次に、データ放送抽出手段２により受信した放送の中からデータ放送の部分を抽出する（ステップ１０２）。抽出したデータ放送のデータをモジュール組み立て手段３によりモジュールとして組み立て（ステップ１０３）、モジュール記憶手段４に記憶させる（ステップ１０４）。組み立てるべきモジュール全てが組み立て終了したかをモジュール組み立て手段３の一覧情報を元にモジュール検出手段８がチェックし、全てモジュールが揃った場合（ステップ１０５）出力手段５にモジュールを表示させる（ステップ１０６）。
【００２３】
ステップ１０５の判断において、全てモジュールが揃ってない場合に受信状況監視手段６に受信状況が悪いかを判断させ（ステップ１０７）、受信状況が悪く無い場合は、再度ステップ１０２の受信した放送からデータ放送を抽出しモジュール組み立てに行く。ステップ１０７の判断において、受信状況が悪い場合は、受信方式変更手段７に受信方式変更を通知する（ステップ１０８）、受信方式変更手段７はモジュール検出手段８によりモジュール組み立て手段３から組み立てるべきモジュールの一覧を入手し、モジュール記憶手段４の中のモジュールと照らし合わせ、未だモジュールとして記憶していないモジュールを検出する（ステップ１０９）。
【００２４】
検出されたモジュールをインターネットにて取得するために、インターネットアクセス手段１０はアクセス先記憶手段９の中に予め記憶されていたアクセス先一覧の中から該当するアクセス先を選択し（ステップ１１０）、モジュール受信するためのサーバとして指定し必要なモジュールを取得する（ステップ１１１）。取得したモジュールはモジュール記憶手段４に記憶し（ステップ１１２）、受信方式をインターネットによる取得方式から通常のデータ放送抽出による受信に戻す（ステップ１１３）。
【００２５】
モジュール検出手段８にてモジュールが全部揃ったかをチェックし（ステップ１０５）、全部揃ってた場合は５の出力手段によって出力される（ステップ１０６）。ステップ１０５の判断で、全て揃っていない場合は、ステップ１０７の受信状況が悪いかの判断を行い、悪くない場合は再度データ放送の抽出による受信し直しを行い、受信状況が悪い場合は受信方式をインターネットによる受信に変更してモジュール取得をしに行く。
【００２６】
図３はモジュール組み立てにおいて使用されるモジュール一覧の一具体例のイメージ図であり、図４はモジュール記憶手段４の中に記憶される一具体例のイメージ図であり、図５はアクセス先記憶手段９内に記憶されている番組とアクセス先一覧の具体例の一例であり、図６はインターネットアクセス手段１０に伝えられるモジュール名の具体例の一例であり、図７はモジュール記憶手段４の中に記憶される具体例のイメージ図（その２）である。
【００２７】
次に、具体例を用いて、図３〜図７を使用して本発明を説明する。番組０１番の放送受信を開始して（ステップ１０１）、データ放送抽出手段２によってデータ放送を抽出して（ステップ１０２）、データ内に入っている組み立てるべきモジュールの情報が、モジュール名が００００でモジュールタイプがｔｘｔ（Text）、モジュール名が０００１でモジュールタイプがｔｘｔ、モジュール名が０００２でモジュールタイプがｊｐｅｇ（Joint Photographic Experts Group）、モジュール名が０００３でモジュールタイプがｊｐｅｇの４モジュールであった場合、モジュール組み立て手段３は、図３の一覧３０１として管理し、モジュール組み立て処理を行う（ステップ１０３）。
【００２８】
組み立てたモジュールがモジュール名００００と０００２の２つであった場合、その２つのモジュールをモジュール記憶手段４に記憶させる（ステップ１０４）。その時のモジュール記憶手段４の中には図４の４０１のイメージの通りになる。次にステップ１０５のモジュールが全部揃ったかを、モジュール検出手段８により判断すると、モジュール検出手段はモジュール組み立て手段３の保持する一覧表のモジュール名とモジュール記憶手段内モジュール名とを照らし合わせる。
【００２９】
この場合、全部揃っていないことから、受信状況が悪いかの判断に行き（ステップ１０７）、受信状況監視手段６により受信状況が悪くない場合は、再度データ放送を抽出しにいき（ステップ１０２）、モジュールの再組み立て（ステップ１０３）に行くが、ここでは暴雨などの気象条件により受信状況が悪く、受信状況監視手段６が受信状況が悪いと判断したとする。受信状況監視手段６は受信方式変更手段７に受信方式変更を指示する（ステップ１０８）。受信方式変更手段７は受信変更の指示を受けてモジュール検出手段８にどのモジュールを受信してないかを検出させる。モジュール検出手段８はモジュール組み立て手段が保持するモジュール名一覧３０１を元に、モジュール記憶手段４の中に記憶されているモジュール以外のモジュールを検出する。
【００３０】
この例の場合、モジュール名０００１と０００３とがモジュールとして記憶されていないことから、図６に示す２つのモジュール名（６０１）にモジュールタイプを関連させた名前「０００１．ｔｘｔ」と「０００３．ｊｐｅｇ」とを検出して、インターネットアクセス手段１０に伝える（ステップ１０９）。インターネットアクセス手段１０はアクセス先記憶手段９よりアクセス先を選択する。この例では、番組０１番を受信したので、図５の予め記憶されている番組５０１とアクセス先一覧の中から番組０１のアクセス先であるＢＢとを選択する（ステップ１１０）。
【００３１】
インターネットアクセス手段１０はアクセス先であるＢＢと０００１．ｔｘｔや０００３．ｊｐｅｇをリンクさせ、ｈｔｔｐ（Hyper Text Transfer Protocol）やｆｔｐ（File Transfer Protocol）といったプロトコルによって、モジュール０００１とモジュール０００３を取得し（ステップ１１１）、４のモジュール記憶手段に記憶させる（ステップ１１２）。ここでは０００１，０００３両方とも受信したとして、モジュール記憶手段４の内容は図７のイメージ７０１どおり、００００，０００１，０００２，０００３の４つのモジュールが記憶されたことになる。
【００３２】
取得モジュールを記憶する処理が終了した後、受信方式変更手段７によってインターネットを使用した受信方式から従来の放送を受信してデータ放送部分を抽出する受信方式に戻し（ステップ１１３）、モジュール検出手段８によりモジュールが全て揃ったかの判断にいく（ステップ１０５）。ここではモジュール組み立て手段３が保持しているモジュール一覧３０１とモジュール記憶手段内のモジュール名７０１とが一致しているので、モジュールが全て揃ったと判断し、モジュールを出力手段５により出力させる。
【００３３】
なお、データ放送は、図３に示した一覧３０１で示されるような一連のモジュール形式であり、この形式のものが繰り返し放送されているものとする。また、図１に示したブロックについては、ハードウェア構成とすることもできるが、特に図示しない読み出し専用の記録媒体に予め格納したソフトウェア（プログラム）により、ＣＰＵ等のコンピュータを制御して実現することもできることは明白である。
【００３４】
【発明の効果】
本発明による第１の効果は、悪天候時など電波の受信状況が悪いときの対応として、データ放送部はデータ放送特有のモジュール配信という機能に合うようなインターネット経由でモジュールを取得して受信するという方式をとることで、受信状況が悪くデータ放送の中にノイズが常に入ってデータ放送からモジュールを組み立てできないような場合でもデータ部分のモジュールが受信でき表示できるということである。
【００３５】
その理由は、放送電波のデータ放送の中に１ビットでも受信データにノイズがあればモジュール全体が組み立てられずに受信および表示できなかったものを、放送電波の状況とは全く関係しないような回線を使用したインターネット経由で要求するモジュールを取得するという方法をとるからである。
【００３６】
第２の効果は、データを信号レベルなどデータ放送そのものを保証するためにインターネットを使うのではなく、モジュール単位にまでデータを組み立ててからインターネットアクセスにて受信できなかったモジュール取得を行うために、テレビ受信機で一般の家庭でインターネットアクセスに使用する公衆回線でもデータ放送を表示するための補助手段として十分対応できるということである。
【００３７】
その理由は、受信済みのモジュールと受信予定のモジュール一覧とを比較し未受信のモジュールを検出し、その未受信のモジュールのみをインターネットアクセスにて取得する処理を行うため、必要最小限のデータを受信するだけでよいからである。
【図面の簡単な説明】
【図１】本発明の実施例のブロック図である。
【図２】本発明の実施例の動作を示すフローチャートである。
【図３】モジュール組み立てにおいて使用されるモジュール一覧の一具体例のイメージ図である。
【図４】モジュール記憶手段４の中に記憶される一具体例のイメージ図であ。
【図５】アクセス先記憶手段９内に記憶されている番組とアクセス先一覧の具体例の一例であ。
【図６】インターネットアクセス手段１０に伝えられるモジュール名の具体例の一例である。
【図７】モジュール記憶手段４の中に記憶される具体例のイメージ図である。
【図８】従来例を示すブロック図である。
【符号の説明】
１  放送受信手段
２  データ放送抽出手段
３  モジュール組み立て手段
４  モジュール記憶手段
５  出力手段
６  受信状況監視手段
７  受信方式変更手段
８  モジュール検出手段
９  アクセス先記憶手段
１０  インターネットアクセス手段
【図１】
0003719098.tif 000002
【図２】
0003719098.tif 000003
【図３】
0003719098.tif 000004
【図４】
0003719098.tif 000005
【図５】
0003719098.tif 000006
【図６】
0003719098.tif 000007
【図７】
0003719098.tif 000008
【図８】
0003719098.tif 000009